(57)【要約】【課題】  データ書き換えが可能な光ディスク記録媒体において、ディスク排出時に必要とされるフォーマット時間の短縮化を図る。【解決手段】  バックグラウンドフォーマットとしてのダミーデータの記録が、ユーザデータの記録順序とは逆順で行われるようにする。これによって従来のようにバックグラウンドフォーマットされた部分がユーザデータによって上書きされてしまうことを効果的に避けることができ、その分バックグラウンドフォーマットされた部分を有効活用することができるようになってイジェクト時に要するフォーマット時間を効果的に短縮することができる。【選択図】図３
2007059021.tif 000002
【特許請求の範囲】
【請求項１】
データ書き換えが可能で且つ１つの記録層を有する光ディスク記録媒体について記録を行う記録装置として、
上記記録層に対するデータ記録を行う記録手段と、
バックグラウンドフォーマットとしてのダミーデータの記録が、ユーザデータの記録順序とは逆順で行われるように上記記録手段を制御する記録制御手段と、
を備えることを特徴とする記録装置。
【請求項２】
上記記録制御手段は、
ユーザデータの記録が最後に行われるべき領域から上記ダミーデータの記録が行われるように上記記録手段を制御する、
ことを特徴とする請求項１に記載の記録装置。
【請求項３】
上記記録制御手段は、
所定の半径位置の領域から上記ダミーデータの記録が行われるように上記記録手段を制御する、
ことを特徴とする請求項１に記載の記録装置。
【請求項４】
データ書き換えが可能で且つ複数の記録層を有する光ディスク記録媒体について記録を行う記録装置の記録方法であって、
バックグラウンドフォーマットとしてのダミーデータの記録が、ユーザデータの記録順序とは逆順で行われるようにしたことを特徴とする記録方法。
【請求項５】
データ書き換えが可能で且つ複数の記録層を有する光ディスク記録媒体について記録を行う記録装置として、
上記記録媒体の各記録層に対するデータ記録を行う記録手段と、
上記光ディスク記録媒体へのユーザデータの記録が行われた後において、ユーザデータの記録が最後に行われるべき記録層から順に、ユーザデータの記録が最初に行われるべき第１記録層におけるユーザデータが記録された半径方向範囲と同じ半径方向範囲を対象としたバックグラウンドフォーマットとしてのダミーデータの記録が行われるように上記記録手段を制御する記録制御手段と、
を備えることを特徴とする記録装置。
【請求項６】
上記記録制御手段は、
上記ユーザデータの記録が最後に行われるべき記録層における、ユーザデータの記録が最後に行われるべき領域から順に上記ダミーデータの記録が行われるように上記記録手段を制御する、
ことを特徴とする請求項５に記載の記録装置。
【請求項７】
データ書き換えが可能で且つ複数の記録層を有する光ディスク記録媒体について記録を行う記録装置の記録方法であって、
上記光ディスク記録媒体へのユーザデータの記録が行われた後において、ユーザデータの記録が最後に行われるべき記録層から順に、ユーザデータの記録が最初に行われるべき第１記録層におけるユーザデータが記録された半径方向範囲と同じ半径方向範囲を対象としたバックグラウンドフォーマットとしてのダミーデータの記録が行われるようにした、
ことを特徴とする記録方法。
【発明の詳細な説明】
【技術分野】
【０００１】
本発明は、データ書き換えが可能な光ディスク記録媒体について記録を行う記録装置とその記録方法に関する。
【背景技術】
【０００２】
光学的に情報の記録または再生が可能な光記録媒体として光ディスク記録媒体が知られている。
このような光ディスク記録媒体として、ＤＶＤ（Digital Versatile Disc）が広く普及している。ＤＶＤとしては、情報がエンボスピットとランドとの組み合わせで記録された再生専用のＤＶＤ−ＲＯＭや、記録層に色素変化膜を用いて１度のみの記録が可能なＤＶＤ−ＲやＤＶＤ＋Ｒ、さらには記録層に相変化膜を用いてデータの書き換えが可能とされたＤＶＤ−ＲＷやＤＶＤ＋ＲＷが知られている。
【０００３】
このうち、データ書き換えが可能なディスクとしてのＤＶＤ＋ＲＷは、同じ書き換え可能型のディスクであるＤＶＤ−ＲＷよりも後発の規格であり、そのためＤＶＤ−ＲＷよりもユーザの使い勝手の向上が図られたものとなっている。
例えば、ＤＶＤ＋ＲＷでは、ディスクのフォーマット処理に要する時間の短縮化が図られるような工夫が為されている。
ここで、ＤＶＤ＋ＲＷのような書き換え可能なディスクにおいては、再生専用装置での再生が可能となるように、ユーザデータが記録されるべきデータエリア内において、ユーザデータが記録される以外の部分を例えばＡＬＬ”０”データ等によるダミーデータで埋め尽くす、いわゆるフォーマットと呼ばれる処理を行うようにされている。
従来においては、このような再生装置との互換性を確保するためのフォーマット処理を、ユーザデータの記録に先立ち、ディスク全体について行うものもあったが、ＤＶＤ＋ＲＷではユーザデータの記録に先立ち必ずフォーマット処理を行うといったことはなく、これにより装填直後にユーザデータの記録が指示された場合には即座に記録を開始することができ、記録開始までの時間短縮が図られる。このとき、ディスクの残りの部分についてのフォーマット処理は、ドライブが書込や読出を行っていないアイドル状態であるときに自動的に行うようにされる。すなわち、このようにフォーマット処理をバックグラウンドで行うようにしたことで、実質的にユーザを待たせる時間の短縮化を図っており、これによって使い勝手の向上が図られている。このようなフォーマットの手法はバックグラウンドフォーマットと呼ばれている。
【０００４】
図１１は、ＤＶＤ＋ＲＷにおけるこのようなバックグラウンドフォーマット処理について説明するための図である。
なお、ここではＤＶＤ＋ＲＷとしてのディスクをエリア構造により示している。図示するリードイン（Lead-in）エリアは、ディスクの最内周部分に位置し、このリードインエリアから外周側にかけてユーザデータの記録が行われる。このようなリードインエリアの外周側のユーザデータの記録が行われる領域はデータエリア（Data Area）と呼ばれる。
【０００５】
この図１１では、ディスクを装填した後にアイドル状態に置かれ、これに応じてバックグラウンドフォーマットが実行された例が示されている。
図示するように従来のＤＶＤ＋ＲＷでは、ユーザデータの記録開始位置（リードインエリアの直後）から順に、所定のブロックＢＦ単位ごとにバックグラウンドフォーマットとしてのダミーデータの記録を行うようにされている。
【０００６】
ここで、例えばこの図１１に示されるようにしてバックグラウンドフォーマットがブロックＢＦ５まで行われた状態から、ユーザデータとしての或るデータファイルの記録指示が行われて、次の図１２に示すようにしてユーザデータＵＤ１、ＵＤ２の記録が行われたとするされたとする。
この際、ブランクディスクに対してデータファイルが記録される場合としては、データエリア内においては、図示するように所謂虫食い状態でユーザデータＵＤが記録される可能性が高い。つまり、ＵＤＦ（Universal Disc Format）が採用される場合では特に、リードインエリアに続くデータエリアの最内周部分に対し、図示するユーザデータＵＤ１としてファイルの管理情報を記録するようにされている。そしてこのとき、実データとしてのデータファイルは必ずしも管理情報の記録領域と隣接した領域に記録されるものではないことから、最内周に記録されたユーザデータＵＤ１とこのような実データとしてのユーザデータＵＤ２とが間隔を隔てて記録される可能性が高いものである。
このような虫食い状態となると、バックグラウンドフォーマットが行われていない状態では、ユーザデータＵＤ１とユーザデータＵＤ２との間が未記録となるが、図１１に示したバックグラウンドフォーマットが行われていることで、この部分はフォーマット済みとなり、ユーザデータの記録後、この部分を新たにフォーマットする必要がなくなる。
つまり、このようにしてバックグラウンドフォーマットを行っておくことでイジェクト時に必要なフォーマット時間も短縮化される。
【０００７】
なお、関連する従来技術については以下の特許文献を挙げることができる。
【特許文献１】特開平１１−１３４７９９号公報
【発明の開示】
【発明が解決しようとする課題】
【０００８】
このようにして、バックグラウンドフォーマットが行われることによってはイジェクト時に必要なフォーマット時間を短縮化することが可能とされているが、従来のバックグラウンドフォーマットの手法では、図１１にて説明したようにユーザデータの記録順に従ってフォーマットが行われることで、その分フォーマットした部分が有効活用されない傾向となる。
つまり、図１２の例で言えば、有効活用されているのはユーザデータＵＤ１とユーザデータＵＤ２の間部分だけであり、他の部分はユーザデータＵＤが上書きされて結果的に無駄なフォーマット部分となってしまうといったものである。
【０００９】
このことを考慮すると、バックグラウンドフォーマットとしては、そのフォーマット部分がより有効活用されるようにして行うことで、より効果的にイジェクト時のフォーマット時間の短縮化が図られるようにすることが好ましいといえる。
【課題を解決するための手段】
【００１０】
そこで、本発明では以上のような問題点に鑑み、記録装置として以下のようにすることとした。
つまり、データ書き換えが可能で且つ１つの記録層を有する光ディスク記録媒体について記録を行う記録装置として、上記記録層に対するデータ記録を行う記録手段と、バックグラウンドフォーマットとしてのダミーデータの記録が、ユーザデータの記録順序とは逆順で行われるように上記記録手段を制御する記録制御手段とを備えるようにした。
【００１１】
また、本発明では記録装置として以下のようにも構成することとした。
すなわち、データ書き換えが可能で且つ複数の記録層を有する光ディスク記録媒体について記録を行う記録装置として、先ず、上記記録媒体の各記録層に対するデータ記録を行う記録手段を備える。
そして、上記光ディスク記録媒体へのユーザデータの記録が行われた後において、ユーザデータの記録が最後に行われるべき記録層から順に、ユーザデータの記録が最初に行われるべき第１記録層におけるユーザデータが記録された半径方向範囲と同じ半径方向範囲を対象としたバックグラウンドフォーマットとしてのダミーデータの記録が行われるように上記記録手段を制御する記録制御手段を備えるようにした。
【００１２】
上記のようにして、バックグラウンドフォーマットをユーザデータの記録順とは逆順で行うようにすることで、フォーマット部分がユーザデータによってより上書きされにくくすることができ、これによってバックグラウンドフォーマットした部分が有効活用されるようにすることができる。
また、特に記録層が複数とされる場合においては、上記のようにしてユーザデータの記録が行われた後において、ユーザデータの記録が最後に行われるべき記録層から順に、第１記録層におけるユーザデータが記録された半径方向範囲と同じ半径方向範囲を対象としたバックグラウンドフォーマットが行われるようにする。
ここで、仕様によっては、再生専用装置との互換性は、ユーザデータの記録が行われる全領域をダミーデータで埋め尽くさずに、第１記録層においてユーザデータの記録が行われた範囲についてのみダミーデータの記録を行えば確保できるとするものがある。
このような仕様が採用される場合に対応させては、上記のように第１記録層にてユーザデータが記録された半径方向範囲についてのみ他の記録層でダミーデータの記録を行うことで、無駄なフォーマット部分をなくす傾向とでき、バックグラウンドフォーマットされた部分の有効活用化を図ることができる。またこのとき、バックグラウンドフォーマットは、上記のようにしてユーザデータの記録が最後に行われるべき記録層から順に行われるので、この点でもバックグラウンドフォーマットが行われた部分の有効活用化が図られる。
【発明の効果】
【００１３】
このようにして本発明によれば、バックグラウンドフォーマットを行った部分がより有効活用されるようにすることができ、これによってイジェクト時においてフォーマットすべき部分がより少なくなるようにすることができる。
この結果、本発明によれば、従来との比較で光ディスク記録媒体のイジェクト時に行われるべきフォーマットに要する時間の短縮化が図られる。
【発明を実施するための最良の形態】
【００１４】
以下、発明を実施するための最良の形態（以下実施の形態とする）について説明していく。
＜第１の実施の形態＞
図１は、本発明における第１の実施の形態としての記録装置である、ディスクドライブ装置の内部構成を示したブロック図である。
先ず、図示するディスク１は、データの書き換えが可能で且つ記録層を１層のみ有するＤＶＤ（Digital Versatile Disc）方式のディスクであり、具体的にはＤＶＤ＋ＲＷディスクである。この場合、ディスク１の記録層は相変化記録膜とされる。
この場合のディスク１のエリア構造としては、次の図２に示すものとなる。
図示するリードイン（Lead-in）エリアは、ディスク１の最内周側に位置し、ここにはディスク１のメディア種別を示す情報や管理情報等といったディスク１の記録／再生に必要な各種の情報が記録される。
このリードインエリアの外周側には、データエリア（Data Area）が続く。このデータエリアはユーザデータが記録されるべき領域である。データエリアでは、図中矢印Ｒの方向が示すように、ユーザデータは内周側から外周側への順で記録される。
また、ディスク１の最外周部分に対しては、リードアウト（Lead-out）エリアが設けられる。このリードアウトエリアはガード領域としての機能も有するもので、例えばダミーデータ等が記録される領域となる。
【００１５】
説明を図１に戻す。
本実施の形態のディスクドライブ装置としては、このようなＤＶＤ＋ＲＷであるディスク１に対応した記録装置として、所謂バックグラウンドフォーマットと呼ばれるフォーマット処理を行うようにされている。
このバックグラウンドフォーマットとは、当該ディスクドライブ装置においてディスク１に対するデータの書込／読出のいずれも行われていない状態（アイドル状態）において、ディスク１のデータエリアに対し、再生専用装置での再生が可能となるようにするためのダミーデータの記録を自動的に行うものである。
【００１６】
また、本実施の形態のディスクドライブ装置としては、ＤＶＤ＋ＲＷのディスク１以外にも、ＤＶＤ−ＲＯＭ、ＤＶＤ−Ｒ、ＤＶＤ＋Ｒ、ＤＶＤ−ＲＷ等の他のＤＶＤディスクにも対応して記録及び／又は再生を行うことができる、所謂マルチドライブとして構成される。
【００１７】
図１において、ディスク１又は他のＤＶＤディスク（以下総じてディスクとも称する）は、図示しないターンテーブルに積載され、記録再生動作時においてスピンドルモータ２によって一定線速度（ＣＬＶ）もしくは一定角速度（ＣＡＶ）で回転駆動される。そしてピックアップ３によってディスクにエンボスピット形態、色素変化ピット形態、或いは相変化ピット形態で記録されているデータの読み出しが行なわれることになる。
【００１８】
ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系、対物レンズをトラッキング方向及びフォーカス方向に移動可能に保持する二軸機構などが形成される。
またピックアップ３全体はスライド駆動部４によりディスク半径方向に移動可能とされている。
【００１９】
ディスクからの反射光情報はフォトディテクタによって検出され、受光光量に応じた電気信号とされてＲＦアンプ８に供給される。
ＲＦアンプ８には、ピックアップ３内の複数のフォトディテクタからの出力電流に対応して電流電圧変換回路、マトリクス演算／増幅回路等を備え、マトリクス演算処理により必要な信号を生成する。例えば再生信号であるＲＦ信号、サーボ制御のためのフォーカスエラー信号ＦＥ、トラッキングエラー信号ＴＥなどを生成する。
ＲＦアンプ８から出力される再生信号（ＲＦ信号）は再生信号処理部９へ、フォーカスエラー信号ＦＥ、トラッキングエラー信号ＴＥはサーボ制御部１０へ供給される。
【００２０】
ＲＦアンプ８で得られた再生ＲＦ信号は再生信号処理部９において、２値化、ＰＬＬクロック生成、ＥＦＭ＋信号（８−１６変調信号）に対するデコード処理、エラー訂正処理等が行われる。
再生信号処理部９は、ＤＲＡＭ１１を利用してデコード処理やエラー訂正処理を行う。なおＤＲＡＭ１１は、ホストインターフェース１３から得られたデータを保存したり、ホストコンピューターに対してデータ転送する為のキャッシュとしても用いられる。
そして再生信号処理部９は、デコードしたデータをキャッシュメモリとしてのＤＲＡＭ１１に蓄積していく。
このディスクドライブ装置からの再生出力としては、ＤＲＡＭ１１にバファリングされているデータが読み出されて転送出力されることになる。
【００２１】
また再生信号処理部９では、ＲＦ信号に対するＥＦＭ＋復調並びにエラー訂正により得られた情報の中から、サブコード情報やATIP情報、LPP情報、ADIP情報、セクターID情報などを抜き出しており、これらの情報をコントローラ１２に供給する。
【００２２】
コントローラ１２は、例えばマイクロコンピュータで形成され、装置全体の制御を行う。特にこの場合、上述したバックグラウンドフォーマットはこのコントローラ１２の制御に基づいて行われる。つまりコントローラ１２は、ディスク１についての書込も読出も行われていないアイドル状態となったことに応じ、必要な各部を制御してダミーデータの記録を実行させる。つまり、変調部１４によりダミーデータ（例えばＡＬＬ”０”データ）の変調データを生成させ、またサーボ制御部１０に対するアクセス実行制御を行って、上記ダミーデータの変調データの記録動作を実行させる。
このとき、コントローラ１２は、バックグラウンドフォーマットとしての上記ダミーデータの記録を、所定の記録単位であるブロックＢＦを最小単位として行うようにされる。この場合のダミーデータの記録の最小単位としては、例えば１ＥＣＣ（Error Correcting Code）ブロック（１６セクター）に基づくものであるとする。
また、このとき、ダミーデータの記録は、予め設定された所定の記録順序に従って行われる。コントローラ１２は、例えば内部のＲＯＭ等に格納されたこのようなディスク１に対するダミーデータの記録順序を示す情報（記録順序情報）に基づくことで、予め設定された適正な順序でダミーデータの記録を行うようにされている。
【００２３】
ホストインターフェース１３は、外部のパーソナルコンピュータ等のホスト機器と接続され、ホスト機器との間で再生データやリード／ライトコマンド等の通信を行う。
即ちＤＲＡＭ１１に格納された再生データは、ホストインターフェース１３を介してホスト機器に転送出力される。
またホスト機器からのリード／ライトコマンドや記録データ、その他の信号はホストインターフェース１３を介してＤＲＡＭ１１にバッファリングされたり、コントローラ１２に供給される。
【００２４】
ホスト機器からライトコマンド及び記録データが供給されることでディスクに対する記録が行われる。
データの記録時においては、ＤＲＡＭ１１にバッファリングされた記録データは、変調部１４において記録のための処理が施される。即ちエラー訂正コード付加、ＥＦＭ＋変調などの処理が施される。
そしてこのように変調された記録データがレーザ変調回路１５に供給される。レーザ変調回路１５は、記録データに応じてピックアップ３内の半導体レーザを駆動し、記録データに応じたレーザ出力を実行させ、ディスクにデータ書込を行う。
【００２５】
この記録動作時においては、コントローラ１２は、ディスクの記録領域に対してピックアップ３から記録パワーでレーザー光を照射するように制御される。
ディスクが色素変化膜を記録層としたライトワンス型のものである場合は、記録パワーのレーザ照射により、色素変化によるピットが形成されていく。
また、本実施の形態のディスク１のように相変化記録膜を有するリライタブルディスクの場合は、レーザー光の加熱によって記録層の結晶構造が変化し、相変化ピットが形成されていく。つまりピットの有無と長さを変えて各種のデータが記録される。また、ピットを形成した部分に再度レーザー光を照射すると、データの記録時に変化した結晶状態が加熱によって元に戻り、ピットが無くなってデータが消去される。
【００２６】
サーボ制御部１０は、ＲＦアンプ８からのフォーカスエラー信号ＦＥ、トラッキングエラー信号ＴＥや、再生信号処理部９もしくはコントローラ１２からのスピンドルエラー信号ＳＰＥ等から、フォーカス、トラッキング、スライド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路６に供給する。フォーカス／トラッキング駆動回路６は、ピックアップ３における二軸機構のフォーカスコイル、トラッキングコイルを駆動することになる。これによってピックアップ３、ＲＦアンプ８、サーボ制御部１０、フォーカス／トラッキング駆動回路６、二軸機構によるトラッキングサーボループ及びフォーカスサーボループが形成される。
【００２７】
なおフォーカスサーボをオンとする際には、まずフォーカスサーチ動作を実行しなければならない。フォーカスサーチ動作とは、フォーカスサーボオフの状態で対物レンズを強制的に移動させながらフォーカスエラー信号ＦＥのＳ字カーブが得られる位置を検出するものである。公知の通り、フォーカスエラー信号のＳ字カーブのうちのリニア領域は、フォーカスサーボループを閉じることで対物レンズの位置を合焦位置に引き込むことのできる範囲である。従ってフォーカスサーチ動作として対物レンズを強制的に移動させながら、上記の引込可能な範囲を検出し、そのタイミングでフォーカスサーボをオンとすることで、以降、レーザースポットが合焦状態に保持されるフォーカスサーボ動作が実現されるものである。
【００２８】
サーボ制御部１０はさらに、スピンドルモータ駆動回路７に対してスピンドルエラー信号ＳＰＥに応じて生成したスピンドルドライブ信号を供給する。スピンドルモータ駆動回路７はスピンドルドライブ信号に応じて例えば３相駆動信号をスピンドルモータ２に印加し、スピンドルモータ２の回転を実行させる。またサーボ制御部１０はコントローラ１２からのスピンドルキック／ブレーキ制御信号に応じてスピンドルドライブ信号を発生させ、スピンドルモータ駆動回路７によるスピンドルモータ２の起動、停止、加速、減速などの動作も実行させる。
【００２９】
またサーボ制御部１０は、例えばトラッキングエラー信号ＴＥの低域成分として得られるスライドエラー信号や、コントローラ１２からのアクセス実行制御などに基づいてスライドドライブ信号を生成し、スライド駆動回路５に供給する。スライド駆動回路５はスライドドライブ信号に応じてスライド駆動部４を駆動する。スライド駆動部４には図示しないが、ピックアップ３を保持するメインシャフト、スレッドモータ、伝達ギア等による機構を有し、スライド駆動回路５がスライドドライブ信号に応じてスライド駆動部４を駆動することで、ピックアップ３の所要のスライド移動が行なわれる。
【００３０】
なお、この図１ではディスクドライブ装置がパーソナルコンピュータ等のホスト機器（情報処理装置）の外付けのドライブ装置として構成される場合を例示したが、当然のことながらこのような情報処理装置に内蔵されるディスクドライブ装置として構成することもできる。
また、ここでは光ディスクドライブ装置がＤＶＤ系のディスクにのみ対応するものとしたが、ＣＤ（Compact Disc）等の他の光ディスク記録媒体にも対応する構成とすることもできる。
【００３１】
ここで、現状において、記録層を１層のみ有するＤＶＤ＋ＲＷでは、バックグラウンドフォーマットとして、ユーザデータの記録順序に従って内周側から順にダミーデータの記録を行うようにされている（図１１参照）。
しかしながら、このようにユーザデータの記録順に従ってバックグラウンドフォーマットが行われることによっては、先の図１２に示したようにしてユーザデータの記録が行われた際にはフォーマット部分が上書きされてしまう可能性が高くなり、その分フォーマットした部分が有効活用されない傾向となってしまう。
このことを考慮すると、バックグラウンドフォーマットとしては、そのフォーマット部分がより有効活用されるようにして行うことで、より効果的にイジェクト時のフォーマット時間の短縮化が図られるようにすることが好ましいといえる。
【００３２】
そこで、本実施の形態としては、バックグラウンドフォーマットをユーザデータの記録順とは逆順に行うものとする。
このような本実施の形態としてのバックグラウンドフォーマット動作を次の図３を参照して説明する。
図３（ａ）に示すようにして、この場合はデータエリアの最外周部分から、ユーザデータの記録順とは逆順にバックグラウンドフォーマットを行っていく。これは、ユーザデータの記録が最も行われる可能性の低い領域から順にバックグラウンドフォーマットを行っていくことに相当する。
先にも述べたように、バックグラウンドフォーマットは所定のブロックＢＦ単位ごとに行うようにされている。ここでは、図のようにブロックＢＦ１〜ブロックＢＦ４までバックグラウンドフォーマットが行われたとする。
【００３３】
この図３（ａ）に示す状態から、ユーザデータとしての或るデータファイルの記録指示が行われて、次の図３（ｂ）に示されるようにしてユーザデータＵＤ１とユーザデータＵＤ２とが記録されたとする。そして、この記録後、再生専用装置との互換性を要求するイジェクト要求が為されたとする。
【００３４】
ここで、再生専用装置との互換性を確保するためには、基本的にはデータエリア内の未記録部分を全てダミーデータで埋め尽くす必要があるもとされる。ここでは、その場合に対応して、上記イジェクト要求に対じては、図３（ｃ）に示すようにユーザデータＵＤ１とユーザデータＵＤ２との間の領域（図中Ｆ１）と、ユーザデータＵＤ２とブロックＢＦ４との間の領域（図中Ｆ２）に対しフォーマット処理を行う。その上で、データエリアの外周の所定領域を対象としてダミーデータ等の必要なデータの記録を行うことで、図示するリードアウトエリアを付加する。これによって、再生専用装置との互換性が確保される。
【００３５】
このようにして本実施の形態としてのバックグラウンドフォーマットとしては、ユーザデータの記録順とは逆順で行われるようにしたことで、ユーザデータの記録が行われたときにも、よりフォーマット済み部分が上書きされにくくすることができる。すなわち、その分、ユーザデータの記録順と同順でバックグラウンドフォーマットを行う従来との比較では、バックグラウンドフォーマットされた部分がより有効活用されるようにすることができ、これによってイジェクト時に要するフォーマット時間もより短縮化することができるようになる。
【００３６】
なお、確認のために述べておくと、バックグラウンドフォーマットとしてのダミーデータの記録を行う順序は、先にも述べたようにコントローラ１２が内部に記憶する記録順序情報に基づいて決定されるものである。従って、上記のような本実施の形態としてのバックグラウンドフォーマットを実現するにあたっては、この記録順序情報として、ユーザデータの記録順序を示す情報とは全くの逆順を指示する情報が格納されればよいものである。
【００３７】
ところで、上記説明では、再生専用装置との互換性確保のためには、イジェクト時にデータエリア内をダミーデータで埋め尽くす必要がある場合を前提としたが、仕様によっては、所定の半径位置を超えてデータ記録が行われた場合には、そのデータ記録終端に対してリードアウトエリアを付加することで互換性が確保できるとしたものもある。
ここで、このような仕様を採用する場合での動作を次の図４を参照して説明すると、先ず図４（ａ）に示すように、この場合はディスク１上の所定の半径位置が、互換可能半径位置ｒＧとして規定される。
図４（ｂ）に示すようにこの互換可能半径位置ｒＧを超える範囲でデータ記録が行われた場合、その後に互換性を要求するイジェクト要求が為されたときは、図４（ｃ）に示すようにしてテンポラリーリードアウト（Temporary Lead-out）と呼ばれる仮のリードアウトエリアを付加するのみで、再生専用装置との互換性が確保されるとしたものである。
一例として、ＤＶＤ−ＲＯＭとの互換については、例えば互換可能半径位置ｒＧとして半径３０mm〜３５mmを規定した仕様がある。
【００３８】
このような仕様とされる場合においても、本実施の形態のようにユーザデータの記録順とは逆順にバックグラウンドフォーマットを行うことで、フォーマット済み部分が有効活用されるようにすることができる。
但し、この場合には、先の図３に示したようにユーザデータの記録が最後に行われるべき領域からバックグラウンドフォーマットを行ってしまっては、互換可能半径位置ｒＧより外周側のフォーマット部分が無駄となってしまうことになり、フォーマット部分が有効活用されなくなってしまう。
【００３９】
そこでこの場合には、ユーザデータの記録が最後に行われるべき領域からではなく、互換可能半径位置ｒＧから順に、ユーザデータの記録順とは逆順にバックグラウンドフォーマットを行っていくものとする。これにより、上記互換可能半径位置ｒＧに満たない範囲でしかユーザデータの記録が行われなかった場合に、フォーマット部分を有効活用でき、結果としてイジェクト時に要するフォーマット時間も短縮することができる。
【００４０】
このような互換可能半径位置ｒＧが規定される場合に対応した動作を、次の図５を参照して説明する。
先ず図５（ａ）において、上記もしているようにこの場合は互換可能半径位置ｒＧから順に、ユーザデータの記録順とは逆順でバックグラウンドフォーマットを行っていく。ここでは、図のようにブロックＢＦ１〜ブロックＢＦ２までフォーマットが行われたとする。
この状態から次の図５（ｂ）に示すように、ユーザデータＵＤ１が、例えばブロックＢＦ２の途中まで記録されたとする。そして、このユーザデータＵＤ１の記録後、互換性を要求するイジェクト要求がなされたとする。
これに応じては、図５（ｃ）に示されるように、互換可能半径位置ｒＧの外周側にテンポラリーリードアウトを付加する処理を行う。これによってこの場合は再生専用装置との互換性が確保された状態となる。
【００４１】
ここで、従来のバックグラウンドフォーマットを踏襲した場合には、ユーザデータの記録順に従ったバックグラウンドフォーマットが行われるので、図５に示す例のようにユーザデータＵＤ１が記録されたときは、同じ２つのブロックＢＦ分のバックグラウンドフォーマットが行われた条件の下では、当然のことながらブロックＢＦ１、ブロックＢＦ２に相当するフォーマット部分が得られていない状態となる。
このことと比較して、上記のようにして互換可能半径位置ｒＧから順にユーザデータの記録順とは逆順にバックグラウンドフォーマットを行っていく本例によれば、その分ユーザデータＵＤ１によってバックグラウンドフォーマットした部分が上書きされにくくすることができ、フォーマット済み部分がより有効活用されるようにすることができることがわかる。すなわち、これによってイジェクト時に要するフォーマット時間もより短縮化することができるものである。
【００４２】
なお、ここではユーザデータＵＤ１が互換可能半径位置ｒＧに達しない範囲で記録された場合を例示したが、仮にユーザデータＵＤ１が互換可能半径位置ｒＧを超える範囲で記録された場合には、本例の場合も従来の場合もイジェクト時に必要となるのはテンポラリーリードアウトの付加処理のみとなる。つまり、このような場合には本例の場合も従来の場合もバックグラウンドフォーマット部分の有効活用という点での差はなく、結局のところ上記のようにしてユーザデータＵＤ１が互換可能半径位置ｒＧに達しない範囲で記録された場合に有効活用できる本例の方が、総じて従来の場合よりもバックグラウンドフォーマット部分が有効活用されるようにすることができることになる。
このことより、本例の方が、イジェクト時に要するフォーマット時間をより短縮化できることとなる。
【００４３】
なお、この場合のバックグラウンドフォーマット動作を実現するにあたっては、コントローラ１２が内部に記憶する記録順序情報として、ユーザデータの記録順とは逆順を指示する情報と共に、予め定められた互換可能半径位置ｒＧを終端とするブロックＢＦを指示する情報が格納されればよい。この互換可能半径位置ｒＧを終端とするブロックＢＦを指示する情報に基づき、コントローラ１２は、互換可能半径位置ｒＧから順にユーザデータの記録順とは逆順にバックグラウンドフォーマットが行われるように制御を行うことができる。
【００４４】
＜第２の実施の形態＞
これまででは、ディスク１が記録層を１層のみ有する単層ディスクとされる場合に対応した動作について説明したが、ディスク１としては、記録層を複数有する多層ディスクとされる場合も想定できる。
図６は、このような多層ディスクによるディスク１の断面構造を示している。
この場合のディスク１としては、データの書き換えが可能で、且つ記録層を多層有する多層ＤＶＤ＋ＲＷディスクとして構成される。
なお、ここでは説明の便宜上、ディスク１には第１記録層（Layer0）と第２記録層（Layer1）の２つの記録層のみが備えられているとする。
この場合、２つの記録層は相変化記録膜とされ、これら２つの記録層は比較的小さな間隔を置いて積層される。
また、図示するように２つの記録層は、第１記録層が後述するディスクドライブ装置の光ピックアップ３内の対物レンズ３ａにより近い側の層とされ、第２記録層は対物レンズ３ａからより遠い側の層となる。
このような２層ディスクの記録時においては、ディスクドライブ装置の光ピックアップ３から対物レンズ３ａを介して出射するレーザ光をいずれかの記録層に絞り込み、その記録層に信号を記録することになる。
【００４５】
図７は、この場合のディスク１のエリア構造を示している。
この場合のディスク１では、記録方式としてオポジットトラックパスが採用される。
このオポジットトラックパスでは、図中矢印Ｒ１、Ｒ２に示されるように、ユーザデータの記録順序としては第１記録層の内周側から始まり第１記録層の終わりまで記録した後に、第２記録層の外周から内周へかけて記録を行うものとなる。
この場合、始めに記録が行われるべき第１記録層では、内周側から外周側にかけてリードインエリア→データエリア→ミドルエリア（Middle Area）が形成される。また第２記録層では外周側から内周側にかけて、ミドルエリア→データエリア→リードアウトエリアが形成されることになる。
【００４６】
上記ミドルエリアは、層間折り返し部分より外周側の領域に付加されるものとなる。なお、このようなミドルエリアが設けられるのは、再生専用装置ではディスク盤面に記録したピットを読むので、ピットの無い領域ではサーボもかからずデータを安定して読み出す事ができないことから、その為のガードとなる領域として、例えばダミーデータを記録した領域が必要となるからである。
【００４７】
ところで、このようにディスク１が多層ディスクとされる場合には、ディスクドライブ装置としては図１において説明したままの構成ではなく、多層ディスクに対応した構成が採られる必要がある。
つまり、第１記録層に対して記録再生を行う場合は、レーザ光は第１記録層に対して合焦状態となっていなければならない。また第２記録層に対して記録再生を行う場合はレーザ光は第２記録層に対して合焦状態となっていなければならない。このような第１記録層、第２記録層間でのフォーカス位置の移動が可能となるように、この場合のディスクドライブ装置としては、フォーカスジャンプ動作が可能に構成される。
フォーカスジャンプ動作は、一方の記録層で合焦状態にあるときに、フォーカスサーボをオフとして対物レンズを強制的に移動させ、他方の記録層に対するフォーカス引込範囲内に到達した時点（Ｓ字カーブが観測される時点）でフォーカスサーボをオンとすることで実行される。このようなフォーカスジャンプ動作は、例えばコントローラ１２のサーボ制御部１０への指示に応じた、サーボ制御部１０−フォーカス／トラッキング駆動回路６−光ピックアップ３−ＲＦアンプ８のフォーカスサーボループ系の動作により行われる。
【００４８】
ここで、このように記録層が多層とされる場合としても、バックグラウンドフォーマットとしては、先の図７にて説明したユーザデータの記録順とは逆順で行われることで、従来方式を踏襲する場合よりバックグラウンドフォーマットした部分が有効活用されるようにすることができる。
つまり、図８（ａ）に示されるようにして、この場合は第２記録層（Layer1）のデータエリアの最外周部分（つまりユーザデータの記録が最後に行われるべき領域）から順に、ブロックＢＦごとに、ユーザデータの記録順とは逆順にバックグラウンドフォーマットを行っていくものである。
【００４９】
このとき、バックグラウンドフォーマットが、図示するように第２記録層のデータエリアの全てについて行われ（ブロックＢＦ１〜ブロックＢＦ１０）、さらに第１記録層に折り返してブロックＢＦ１１〜ブロックＢＦ１３の３つのブロックまで行われたとする。また、この状態から、図８（ｂ）に示すようにしてユーザデータＵＤ１の記録が行われ、さらに、その記録後に互換性を要求するイジェクト要求が為されたとする。
これに応じては、図８（ｃ）に示すようにして、第１記録層におけるユーザデータＵＤ１の記録終端とバックグラウンドフォーマットが行われたブロックＢＦ１３の開始位置との間の未記録部分をフォーマット処理する（図中Ｆ−ｎｅｗ）。さらに、第１記録層と第２記録層との層間折り返し部分の外周部分に対し、ミドルエリアを付加する処理を行う。
これにより、再生専用装置との互換性を確保することができる。
【００５０】
記録層が多層とされる場合としても、上記のようにユーザデータの記録が最後に行われるべき領域から順に、ユーザデータの記録順とは逆順でバックグラウンドフォーマットが行われることで、ユーザデータによってフォーマット部分が上書きされにくくすることができ、これによってバックグラウンドフォーマットされた部分が有効活用されるようにすることができる。つまり、その分、イジェクト時に要するフォーマット時間の短縮化を図ることができる。
【００５１】
なお、図８では記録層が２層とされる場合を例示したが、３層以上とされる場合としても同様に、ユーザデータの記録が最後に行われるべき領域から順に、ユーザデータの記録順とは逆順でバックグラウンドフォーマットが行われることで、上記と同様の効果が得られることは言うまでもない。
【００５２】
また、ここではディスク１としてオポジットトラックパスが採用される場合を例示したが、全ての記録層において同方向にユーザデータの記録が行われるパラレルトラックパスが採用される場合としても、同様にユーザデータの記録が最後に行われるべき領域から順に、ユーザデータの記録順とは逆順でバックグラウンドフォーマットが行われることで、同様にフォーマット部分がユーザデータによって上書きされにくくすることができ、これによってバックグラウンドフォーマットした部分が有効活用されるようにすることができる。
【００５３】
ところで、記録層が複数とされる場合としても、互換可能半径位置ｒＧを規定し、この互換可能半径位置ｒＧまでデータ記録が行われたときは、それ以上先の領域をフォーマットせずともテンポラリーミドルエリアを付加することで互換性が保たれるとした仕様が採用されることが想定できる。
但し、記録層が複数の場合、再生専用装置との互換性を得るためには、最低でも、第１記録層でユーザデータが記録された半径位置までの範囲については、他の全ての記録層においてもダミーデータを記録しなければ、安定した再生動作を保証することが困難となる。つまりは、多層ディスクにおいて、上記のように互換可能半径位置ｒＧを規定し、イジェクト時にフォーマットが必要な領域の削減を図る場合としては、ユーザデータが記録されたとき、最低でも第１記録層でユーザデータが記録された範囲と同じ範囲については他の記録層においてもダミーデータで埋め尽くす必要があることになる。
言い方を変えれば、この場合はユーザデータの記録が行われたときは、第１記録層におけるユーザデータの記録範囲と同じ範囲について、他の全ての記録層でダミーデータの記録を行えば（実際にはテンポラリーミドルエリアの付加も要する）、再生専用装置との互換性を確保することができるというものである。
【００５４】
そこで、このように多層ディスクとして互換可能半径位置ｒＧを規定し、イジェクト時にフォーマットが必要な領域の削減を図るとした場合に対応しては、第１記録層においてユーザデータが記録された半径方向範囲と同じ半径方向範囲を対象とてのみ、他の全ての記録層についてのバックグラウンドフォーマットを行うようにする。そしてこの際、バックグラウンドフォーマットを行う順としては、ユーザデータの記録が最後に行われるべき記録層から順に行うようにする。
【００５５】
この場合の動作を、次の図９を参照して説明する。
なお、この図ではディスク１がｎ個の記録層を有するｎ層ディスクであるとしてそのエリア構造を示している。また、この場合としても第１記録層のリードインエリアはディスク１の最内周部分とされ、ユーザデータの記録順としてはオポジットトラックパスが採用される場合を例示している。
先ず、この場合の動作としては、データエリア内において何らかのユーザデータが記録された後であることが前提となる。つまり、何らかのユーザデータの記録後にアイドル状態となることに応じて行われるバックグラウンドフォーマットの動作となるものである。
ここでは、図９（ａ）に示されるようにして、例えばユーザデータＵＤ１が、第１記録層の途中までであって、且つ互換可能半径位置ｒＧを超えるようにして記録されたとする。
【００５６】
この図９（ａ）に示すようにしてユーザデータＵＤ１が記録された後、アイドル状態に置かれたことに応じては、次の図９（ｂ）に示すようにして、ユーザデータの記録が最後に行われるべき第ｎ記録層から順に、第１記録層でのユーザデータの記録範囲と同じ半径方向範囲までを対象としてバックグラウンドフォーマットを行っていく（図中ＢＧＦ１→ＢＧＦ２・・・の順）。
このようにして、各記録層でのバックグラウンドフォーマットが第１記録層でのユーザデータの記録範囲と同じ半径方向範囲までを対象として行われることで、互換可能半径位置ｒＧよりも先（つまり、この場合はｒＧよりも外周側）について無駄なフォーマットが行われないようにすることができる。
その上で、この場合は上記のようにしてユーザデータの記録が最後に行われるべき記録層から順にバックグラウンドフォーマットを行うようにしたことで、これまでと同様の理由によりフォーマット部分の有効活用化が図られる。
さらには、この際、第ｎ記録層における最後に記録が行われるべき領域から順にバックグラウンドフォーマットを行えば、さらにフォーマット部分の有効活用化が図られる傾向とすることができる。
【００５７】
なお、上記では、第１記録層でのユーザデータの記録がデータエリアの途中で終了した場合を例示したが、確認のために述べておくと、例えば次の図１０（ａ）に示されるようにしてユーザデータＵＤ１の記録が第２記録層までに渡って行われるなどして、第１記録層のデータエリアが全てユーザデータで埋め尽くされた場合には、次の図１０（ｂ）に示されるようにして、第ｎ記録層から順に、各層においてデータエリア全体を対象としてバックグラウンドフォーマットが行われることになる（ＢＧＦ１→ＢＧＦ２・・・）。
つまり、この場合は第１記録層でのユーザデータの記録範囲はデータエリア全体となることから、各記録層についても同じ半径方向範囲までとしてデータエリア全体を対象としてバックグラウンドフォーマットが行われるものである。
【００５８】
また、図９、図１０では、互換可能半径位置ｒＧを超えてユーザデータの記録が行われた後の動作についてのみ言及したが、ユーザデータの記録が互換可能半径位置ｒＧを超えない範囲で行われた後のアイドル状態に応じても、同様に第１記録層のユーザデータの記録範囲と同範囲について、第ｎ記録層から順に各層でのバックグラウンドフォーマットを行えばよい。
ここで、従来方式を踏襲した場合ではバックグラウンドフォーマットがユーザデータの記録順で行われるので、この場合はユーザデータの記録終端から順にバックグラウンドフォーマットが行われるものとなる。これによれば、後にユーザデータが追記された場合は、これまでと同様にバックグラウンドフォーマットした部分は無駄となってしまう。また、仮にユーザデータの追記が行われなかった場合としても、上記のようにしてユーザデータの記録終端からバックグラウンドフォーマットを行うことによっては、互換可能半径位置ｒＧから先のフォーマットも行われてしまう可能性があり、その場合は無駄なフォーマットを行うことになってしまう。
これに対し、上記本例の動作によれば、第ｎ記録層から順で且つ第１記録層でのユーザデータ記録範囲と同範囲を対象としてのみバックグラウンドフォーマットが行われるのであるから、ユーザデータの追記があった場合もなかった場合も、従来方式を踏襲した場合と比較すれば、無駄なフォーマット部分は省略化される傾向とすることができ、この結果イジェクト時に要するフォーマット時間としても従来方式を踏襲した場合と比較すれば短縮化される傾向とすることができる。
【００５９】
なお、図９、図１０ではディスク１としてオポジットトラックパスが採用される場合について例示したが、パラレルトラックパスが採用される場合としても、同様にユーザデータが記録された後にアイドル状態に置かれたことに応じて、ユーザデータの記録が最後に行われるべき第ｎ記録層から順に、第１記録層でのユーザデータの記録範囲と同じ半径方向範囲までを対象としてバックグラウンドフォーマットを行っていけば、同様にバックグラウンドフォーマットした部分が有効活用されるようにして、イジェクト時に要するフォーマット時間の短縮化が図られるようにすることができる。
【００６０】
ここで、上記により説明した「ユーザデータが記録された後にアイドル状態に置かれたことに応じて、ユーザデータの記録が最後に行われるべき第ｎ記録層から順に、第１記録層でのユーザデータの記録範囲と同じ半径方向範囲までを対象としてバックグラウンドフォーマットを行っていく」という動作は、コントローラ１２の制御に基づき実行される。
この場合、コントローラ１２としては、ディスク１に対するユーザデータの記録が行われたことに応じて、第１記録層でのユーザデータの記録終端の半径方向位置の情報を取得しこれを保持する。その後、アイドル状態となることに応じて、この保持された半径方向位置までの範囲について、第ｎ記録層から順にバックグラウンドフォーマットを行うように必要な各部を制御する。
【００６１】
なお、確認のために述べておくと、従来からも行われていたようにバックグラウンドフォーマットとしては、ユーザデータが記録済みの範囲は避けてこれを行うようにされているものである。従って本例のバックグラウンドフォーマットとしても、ユーザデータの記録済み範囲についてはこれを避けてバックグラウンドフォーマットを行うようにされている。そのための動作としては公知でありここでの詳細な説明は省略する。
【００６２】
以上、実施の形態について説明したが、本発明としてはこれまでに説明した各実施の形態に限定されるべきものではない。
例えば各実施の形態では、ＤＶＤ＋ＲＷディスクについて本発明を適用する場合について説明したが、ＤＶＤ−ＲＷやＣＤ−ＲＷ等他の書き換え可能ディスクであれば、本発明を好適に適用することができる。
【図面の簡単な説明】
【００６３】
【図１】本発明における実施の形態の記録装置の内部構成について示したブロック図である。
【図２】第１の実施の形態の光ディスク記録媒体のエリア構造を示した図である。
【図３】第１の実施の形態としてのバックグラウンドフォーマット動作について説明するための図である。
【図４】互換可能半径位置を規定する仕様が採られた場合での、互換性を要求するイジェクト要求に応じて行われる動作について説明するための図である。
【図５】第１の実施の形態において互換可能半径位置を規定する仕様が採られた場合に対応したバックグラウンドフォーマット動作について説明するための図である。
【図６】第２の実施の形態としての光ディスク記録媒体の断面構造について示した模式図である。
【図７】第２の実施の形態としての光ディスク記録媒体のエリア構造を示した図である。
【図８】第２の実施の形態としてのバックグラウンドフォーマット動作について説明するための図である。
【図９】第２の実施の形態において互換可能半径位置を規定する仕様が採られた場合に対応したバックグラウンドフォーマット動作について説明するための図である。
【図１０】同じく、第２の実施の形態において互換可能半径位置を規定する仕様が採られた場合に対応したバックグラウンドフォーマット動作について説明するための図である。
【図１１】従来のバックグラウンドフォーマットの手法について説明するための図である。
【図１２】従来のバックグラウンドフォーマットの効果について説明するための図である。
【符号の説明】
【００６４】
１  ディスク、２  スピンドルモータ、３  光ピックアップ、８  ＲＦアンプ、９  再生信号処理部、１０  サーボ制御部、１１  ＤＲＡＭ、１２  コントローラ、１３  ホストインターフェース、１４  変調部、１５  レーザ変調回路
【図１】
2007059021.tif 000003
【図２】
2007059021.tif 000004
【図３】
2007059021.tif 000005
【図４】
2007059021.tif 000006
【図５】
2007059021.tif 000007
【図６】
2007059021.tif 000008
【図７】
2007059021.tif 000009
【図８】
2007059021.tif 000010
【図９】
2007059021.tif 000011
【図１０】
2007059021.tif 000012
【図１１】
2007059021.tif 000013
【図１２】
2007059021.tif 000014